(57)【特許請求の範囲】
【請求項１】
交流電源の０Ｖ付近でリレーの開閉を行うリレーゼロクロス手段と、ＬＥＤをスキャン出力するＬＥＤスキャン手段と、前記ＬＥＤスキャン手段を交流電源の０Ｖ付近に同期して制御するＬＥＤ０Ｖ点制御手段と、前記ＬＥＤスキャン手段を、マイクロコンピュータがカウントする交流電源の０Ｖ付近から次の０Ｖ付近相当の時間に同期してマイクロコンピュータの割り込み処理にて制御するＬＥＤタイマー制御手段と、前記リレーゼロクロス手段が動作中のみ、前記ＬＥＤスキャン手段の制御を、前記ＬＥＤ０Ｖ点制御手段から前記ＬＥＤタイマー制御手段に切り替えるスキャン選択手段を設けたリレーゼロクロス装置。
【請求項２】
ＬＥＤ０Ｖ点制御手段が動作するのを、所定の値遅らせる０Ｖ点遅延手段を設けた請求項１記載のリレーゼロクロス装置。
【請求項３】
リレーゼロクロス手段と、ＬＥＤスキャン手段と、前記ＬＥＤスキャン手段を交流電源の０Ｖ付近と０Ｖ付近から次の０Ｖ付近までの中間のタイミングで制御するＬＥＤ１／２点制御手段と、前記ＬＥＤスキャン手段を交流電源の０Ｖ付近から次の０Ｖ付近まで半分の時間に同期してマイクロコンピュータの割り込み処理にて制御する１／２点タイマー制御手段と、前記リレーゼロクロス手段が動作中のみ、前記ＬＥＤスキャン手段の制御を前記１／２点タイマー制御手段に切り替えるスキャン選択手段を設けたリレーゼロクロス装置。
【請求項４】
リレーゼロクロス手段によってリレー駆動の待ち時間ならびに、動作時間または復帰時間を計測中、前記ＬＥＤスキャン手段が動作すると、ＬＥＤスキャン手段が動作に要した時間だけリレー駆動の待ち時間ならびに、リレーの動作時間または復帰時間の補正を行うスキャン時間補正手段を設けた請求項１〜３いずれか１項に記載のリレーゼロクロス装置。
【発明の詳細な説明】
【０００１】
【発明の属する技術分野】
本発明は、リレー駆動手段であるリレーゼロクロス装置に関するものである。
【０００２】
【従来の技術】
図９は従来のリレーゼロクロス装置に関する構成を示したものである。図９において、１は交流電源、２は負荷であるヒーター、３はヒーター２をＯＮ、ＯＦＦ制御するリレー、マイクロコンピューター４内にはリレー３をゼロクロス制御するゼロクロス手段４ａがあり、リレー３にＯＮ、ＯＦＦ信号を出力し、リレー３がＯＮ、ＯＦＦしたかを判断する接点信号を入力する。
【０００３】
以下、リレーゼロクロスの動作を表した動作図である図１０を用いてその動きを説明する。ヒーター２をＯＮするためにリレーゼロクロス手段４ａは、交流電源１の０Ｖ付近で発生するＺＶＰを基準として、リレー動作用の待ち時間をマイクロコンピュータ４内部のタイマーを使ってカウントし、リレー動作用の待ち時間が経過するとリレー３にＯＮ信号を出力する。リレーゼロクロス手段４ａは、リレー３にＯＮ信号を出力してからリレー３の接点がＯＮするまでの時間、つまり動作時間をマイクロコンピュータ４内部のタイマーによって測定する。リレー３の動作時間が分かれば、次回のリレーＯＮ時には、電源投入時に測定した２ＺＶＰの時間を用いて２ＺＶＰ−動作時間＝リレー動作用待ち時間となり、ＺＶＰを基準に、リレー動作用待ち時間待ってから、リレー３にＯＮ信号を出力すれば、交流電源１の０Ｖ付近でリレー３がＯＮする。これによりリレー接点の両端には電位差が生じなくなるので、金属イオンの転移による接点の消耗がなくなり、リレーの耐久性が延びる。
【０００４】
同じく、ヒーター２をＯＦＦするためにリレーゼロクロス手段４ａは、交流電源１の０Ｖ付近で発生するＺＶＰを基準として、リレー復帰用の待ち時間をマイクロコンピュータ４内部のタイマーを使ってカウントし、リレー復帰用の待ち時間が経過するとリレー３にＯＦＦ信号を出力する。リレーゼロクロス手段４ａは、リレー３にＯＦＦ信号を出力してからリレー３の接点がＯＦＦするまでの時間、つまり復帰時間をマイクロコンピュータ４内部のタイマーによって測定する。リレー３の復帰時間が分かれば、次回のリレーＯＮ時には、２ＺＶＰ−復帰時間＝リレー復帰用待ち時間となり、ＺＶＰを基準にリレー復帰用待ち時間待ってから、リレー３にＯＦＦ信号を出力すれば、交流電源１の０Ｖ付近でリレー３がＯＦＦする。これにより、リレー接点の両端には電位差が生じなくなるので、金属イオンの転移による接点の消耗がなくなり、リレーの耐久性が延びる。
【０００５】
【発明が解決しようとする課題】
しかしながら、上記従来のような方法では、交流電源の０Ｖ付近でリレーの開閉を行うリレーゼロクロス駆動中は、リレー動作または復帰用待ち時間のカウント、動作または復帰時間の測定、リレー接点のモニタ等の処理に専念するため、例えばマイクロコンピュータの出力端子が少なく、ＺＶＰに同期してＬＥＤ等をスキャン出力しようと思っても、ゼロクロス駆動中にはＺＶＰの判断が行えないため、スキャン出力できなくなり、リレーゼロクロスとＬＥＤのスキャン出力は両立できないという問題点を有していた。
【０００６】
本発明は、上記従来の問題点を解決するもので、リレーゼロクロス駆動中にはマイクロコンピュータのタイマーがカウント１ＺＶＰ相当の時間に応じて、ＬＥＤスキャン出力を行うため、リレーゼロクロスとＬＥＤスキャンが両立でき、リレーの耐久性の確保と出力端子の少ないマイクロコンピュータでも、ＬＥＤを点灯することができるリレーゼロクロス装置を提供することを目的とする。
【０００７】
【課題を解決するための手段】
上記課題を解決するために本発明は、交流電源の０Ｖ付近でリレーの開閉を行うリレーゼロクロス手段と、ＬＥＤをスキャン出力するＬＥＤスキャン手段と、前記ＬＥＤスキャン手段を交流電源の０Ｖ付近に同期して制御するＬＥＤ０Ｖ点制御手段と、リレーゼロクロス駆動中、前記ＬＥＤスキャン手段をマイクロコンピュータがカウントする、交流電源の０Ｖ付近から次の０Ｖ付近相当の時間に同期して制御するＬＥＤタイマー制御手段に変更するスキャン選択手段を設けることにより、リレーがゼロクロス駆動をしていないときは、交流電源の０Ｖ付近に同期してＬＥＤをスキャン出力し、反対にリレーがゼロクロス駆動を行っているときはマイクロコンピュータがカウントする交流電源の０Ｖ付近から次の０Ｖ付近相当の時間に同期してＬＥＤをスキャン出力してなるものである。
【０００８】
【発明の実施の形態】
請求項１記載の発明は、交流電源の０Ｖ付近でリレーの開閉を行うリレーゼロクロス手段と、ＬＥＤをスキャン出力するＬＥＤスキャン手段と、前記ＬＥＤスキャン手段を交流電源の０Ｖ付近を検知後制御するＬＥＤ０Ｖ点制御手段と、前記ＬＥＤスキャン手段を、マイクロコンピュータがカウントする交流電源の０Ｖ付近点から次の０Ｖ付近相当の時間に同期してマイクロコンピュータの割り込み処理にて制御するＬＥＤタイマー制御手段と、前記リレーゼロクロス手段が動作中のみ、前記ＬＥＤスキャン手段の制御を前記ＬＥＤ０Ｖ点制御手段から前記ＬＥＤタイマー制御手段に切り替えるスキャン選択手段を設けることにより、リレーがゼロクロスを行っていないときは、交流電源の０Ｖ付近に同期してＬＥＤをスキャン出力するので、ＬＥＤがちらつかない安定したＬＥＤスキャンを行える。またリレーがゼロクロス駆動中で交流電源の０Ｖ付近が検知できなくても、０Ｖ付近から次の０Ｖ付近相当の時間に同期してＬＥＤをスキャン出力できるので安定したＬＥＤのちらつかない安定したＬＥＤスキャンを行える。さらに、リレーゼロクロス中のみに０Ｖ付近から次の０Ｖ付近相当の時間による割り込みを限定することで、割り込み処理による信頼性の確認も用意であるという作用を有する。
【０００９】
請求項２記載の発明は、前記ＬＥＤ０Ｖ点制御手段が動作するのを、交流電源の０Ｖ付近から所定の値遅らせる０Ｖ点遅延手段を設けることにより、入力検知等ノイズの影響の少ない交流電源の０Ｖ付近で行いたい処理を優先処理でき、またＬＥＤスキャンの周期は、交流電源の０Ｖ付近から次の０Ｖ付近までの周期と等しいままなのでＬＥＤもちらつかず安定したＬＥＤスキャンを実現できるという作用を有する。
【００１０】
請求項３記載の発明は、前記リレーゼロクロス手段と、前記ＬＥＤスキャン手段と、前記ＬＥＤスキャン手段を交流電源の０Ｖ付近と０Ｖ付近から０Ｖ付近までの中間のタイミングで制御するＬＥＤ１／２点制御手段と、前記ＬＥＤスキャン手段を交流電源の０Ｖ付近から次の０Ｖ付近までの半分の時間に同期して制御する１／２点タイマー制御手段と、前記リレーゼロクロス手段が動作中のみ、前記ＬＥＤスキャン手段の制御を前記１／２点タイマー制御手段に切り替えるスキャン選択手段を設けることにより、ＬＥＤスキャンの切り替わるタイミングが早くなり残像が残りやすくなるので、ＬＥＤに流せる電流が少なくてもより安定したＬＥＤスキャンが行える。さらに、リレーがゼロクロスを行っていないときは、交流電源の０Ｖ付近から次の０Ｖ付近までを２等分した時間毎にＬＥＤをスキャン出力し、反対にリレーがゼロクロス駆動中で交流電源の０Ｖ付近が検知できなくても、０Ｖ付近から次の０Ｖ付近相当の時間の半分に同期してＬＥＤをスキャン出力できるので、リレーがゼロクロス駆動中でも、またリレーをゼロクロス駆動してなくてもＬＥＤがちらつかず安定したＬＥＤスキャンを実現できるという作用を有する。
【００１１】
請求項４記載の発明は、前記リレーゼロクロス手段によってリレー駆動の待ち時間ならびに、動作時間または復帰時間を計測中、前記ＬＥＤスキャン手段が動作すると、ＬＥＤスキャン手段が動作した時間だけリレー駆動の待ち時間ならびにリレーの動作または復帰時間の補正を行うスキャン時間補正手段を設けることにより、リレー駆動の待ち時間及び、リレー動作時間または復帰時間を測定中に、ＬＥＤのスキャン出力の割り込み処理が生じて時間待ちまたは時間測定の処理を中断しても、スキャン出力終了後、スキャン処理にかかった時間が補正されるので、正確にリレーゼロクロス処理が行えるという作用を有する。
【００１２】
【実施例】
（実施例１）
以下、本発明の第１の実施例について図面を参照しながら説明する。従来例と同一の構成要素については同じ番号を付し説明を省略する。
【００１３】
図１は本実施例の全体構成図であり、マイクロコンピュータにはＬＥＤスキャン手段５を接続し、スキャン手段５は表示手段であるＬＥＤ５ａ、ＬＥＤ５ｂ、ＬＥＤ５ｃ、ＬＥＤ５ｄと、各ＬＥＤに流す電流値を決める抵抗５ｅ、抵抗５ｆ、抵抗５ｇ、抵抗５ｈと、スキャンのために点灯するＬＥＤを交互に切り替えるトランジスタ５ｉ、トランジスタ５ｊで構成する。また、マイクロコンピュータ４内には、ＬＥＤスキャン手段５を交流電源１の０Ｖ点に同期して制御するＬＥＤ０Ｖ点制御手段４ｂと、前記ＬＥＤスキャン手段５を、マイクロコンピュータ４がカウントする交流電源の０Ｖ点から０Ｖ点相当の時間に同期して制御するＬＥＤタイマー制御手段４ｃと、リレーゼロクロス手段４ａが動作中のみ、ＬＥＤスキャン手段５の制御をＬＥＤ０Ｖ点制御手段４ｂからＬＥＤタイマー制御手段４ｃに切り替えるスキャン選択手段４ｄを設ける。
【００１４】
この実施例の動作について、本実施例の動作図である図２を用いて説明する。リレーＯＦＦ時にはスキャン選択手段４ｄがＬＥＤ０Ｖ点制御手段４ｂを選択し、点灯するＬＥＤがＬＥＤ５ａ、ＬＥＤ５ｂの時、ＬＥＤ０Ｖ点制御手段４ｂは交流電源１の０Ｖ点であるＺＶＰ毎に、トランジスタ５ｉ、トランジスタ５ｊを交互にＯＮ、ＯＦＦする事でＬＥＤ５ａ、ＬＥＤ５ｂを点灯する。ここでリレー３がＯＮする為に、ゼロクロス手段４ａによりリレーゼロクロス処理を開始するとスキャン選択手段４ｄは、ＬＥＤのスキャンにＬＥＤタイマー制御手段４ｃを選択する。ＬＥＤタイマー制御手段４ｃは交流電源１の周波数が６０Ｈｚの時、１ＺＶＰに相当する時間の８．３ｍｓをタイマー割り込みとしてセットする。ＬＥＤタイマー制御手段４ｃはリレーゼロクロス手段４ａの動作中にセットしたタイマー割り込みが生じる毎に、トランジスタ５ｉ、トランジスタ５ｊを交互にＯＮ、ＯＦＦしＬＥＤ５ａ、ＬＥＤ５ｂを点灯、消灯する。スキャン選択手段４ｄはゼロクロス手段４ａによるリレーゼロクロスが終了すると、ＬＥＤスキャンの制御をＬＥＤ０Ｖ点制御手段４ｂに切り替える。
【００１５】
以上のように本実施例によれば、交流電源１の０Ｖ点でリレー３の開閉を行うリレーゼロクロス手段４ａと、ＬＥＤをスキャン出力するＬＥＤスキャン手段５と、ＬＥＤスキャン手段５を交流電源１の０Ｖ点を検知後制御するＬＥＤ０Ｖ点制御手段と、ＬＥＤスキャン手段５を、マイクロコンピュータ４がカウントする交流電源１の０Ｖ点から０Ｖ点相当の時間による割り込みで制御するＬＥＤタイマー制御手段４ｃと、リレーゼロクロス手段４ａが動作中のみ、前記ＬＥＤスキャン手段５の制御をＬＥＤ０Ｖ点制御手段４ｂからＬＥＤタイマー制御手段４ｃに切り替えるスキャン選択手段４ｄを設けることにより、リレーがゼロクロスを行っていないときは、交流電源の０Ｖ点に同期してＬＥＤをスキャン出力するので、ＬＥＤスキャンのタイミングが一定でちらつかず、ＬＥＤスキャンを行える。またリレーがゼロクロス駆動中で交流電源の０Ｖ点が検知できなくても、０Ｖ点から０Ｖ点相当の時間に同期してＬＥＤをスキャン出力できるので、ＬＥＤスキャンのタイミングが一定でちらつかず、ＬＥＤスキャンを行える。さらに、リレーゼロクロス中のみに０Ｖ点から０Ｖ点相当の時間による割り込みを限定することで、割り込み処理による、マイクロコンピュータの処理の中断に伴う信頼性の確認も用意であるという作用を有する。なお、本実施例において、ＬＥＤタイマー制御手段４ｃは、交流電源１が６０Ｈｚのとき１ＺＶＰに相当する８．３ｍｓを時間割り込みの値としたが、交流電源１の０Ｖ点から０Ｖ点相当の時間分で割り込みを行う為、交流電源１の周波数が変わっても何ら問題ない。また、本実施例においてリレー３がＯＮの場合の説明を行ったが、リレー３がＯＦＦの場合も同様に説明できるので何ら問題ない。
【００１６】
（実施例２）
以下、本発明の第２の実施例について図面を参照しながら説明する。図３は本実施例の全体構成図であり実施例１と同一の構成要素については同じ番号を付し説明を省略する。
【００１７】
マイクロコンピュータ４には入力手段６を接続し、入力手段６はタクトＳＷ６ａ、電流制限用の抵抗６ｂで構成する。また、感温素子７もマイクロコンピュータ７に接続する。さらにマイクロコンピュータ４内にあるＬＥＤ０Ｖ点制御手段４ｂには、ＬＥＤ０Ｖ点制御手段４ｂを所定の値遅らせる０Ｖ点遅延手段を接続する。
【００１８】
この第２の実施例の動作について、図４のフローチャートを用いて説明する。マイクロコンピュータ４はステップ１で交流電源１の０Ｖ点を検知する。０Ｖ点になっていなければＮＯとなり、０Ｖ点検知を続ける。反対に０Ｖ点を検知するとＹＥＳとなりステップ２に移行する。０Ｖ点遅延手段４ｅは、ステップ２で入力手段６によるキー入力を受け付ける。その後ステップ３に移行すると０Ｖ点遅延手段４ｅは感温素子７による温度入力処理を行った後、ステップ４にてステップ２の処理時間＋ステップ３の処理時間＋Ｔｘ＝Ｔａｖｅ（一定値）の時間になるようＴｘ時間だけ待った後、ステップ５に移行する。ステップ５では、ＬＥＤ０Ｖ点制御手段４ｂによりＬＥＤスキャン手段５を用いてＬＥＤのスキャン出力を行った後、その他の処理を行う。
【００１９】
以上のように本実施例によれば、ＬＥＤ０Ｖ点制御手段４ｂが動作するのを、交流電源１の０Ｖ点からＴａｖｅの値遅らせる０Ｖ点遅延手段４ｅを設けることにより、ノイズや電圧変動の影響を受けるのが少ない、交流電源１の０Ｖ点付近でキー入力や温度入力処理等の入力処理を行え、またＬＥＤスキャンの出力は、０Ｖ点から一定の値であるＴａｖｅのタイミングで行うので、ＬＥＤスキャンの周期は、交流電源の０Ｖ点から０Ｖ点までの周期と等しいままなのでＬＥＤもちらつかない。
【００２０】
（実施例３）
以下、本発明の第３の実施例について図面を参照しながら説明する。図５は本発明の全体構成図であり実施例１と同一の構成要素については同じ番号を付し説明を省略する。
【００２１】
図５は本実施例の全体構成図であり、マイクロコンピュータ４内には、ＬＥＤスキャン手段５を交流電源１の０Ｖ点と０Ｖ点から０Ｖ点までの中間のタイミングで制御するＬＥＤ１／２点制御手段４ｆと、前記ＬＥＤスキャン手段５を、交流電源１の０Ｖ点から０Ｖ点までの半分の時間に同期して制御する１／２点タイマー制御手段４ｇと、リレーゼロクロス手段４ａが動作中のみ，ＬＥＤスキャン手段５の制御をＬＥＤ０Ｖ点制御手段４ｂからＬＥＤタイマー制御手段４ｃに切り替えるスキャン選択手段４ｄを設ける。
【００２２】
この実施例の動作について、本実施例の動作図である図６を用いて説明する。リレーＯＦＦ時にはスキャン選択手段４ｄがＬＥＤ１／２点制御手段４ｆを選択し、点灯するＬＥＤがＬＥＤ５ａ、ＬＥＤ５ｂの時、ＬＥＤ１／２点制御手段４ｆは交流電源１の０Ｖ点であるＺＶＰで、トランジスタ５ｉ、トランジスタ５ｊをＯＮ、ＯＦＦする事でＬＥＤ５ａ、ＬＥＤ５ｂを点灯、消灯する。次に４．１５ｍｓの時間待ちを行いトランジスタ５ｉ、トランジスタ５ｊをＯＦＦ、ＯＮする事でＬＥＤ５ａ、ＬＥＤ５ｂを消灯、点灯して、ＬＥＤのスキャン出力の処理を行った後その他の処理を行う。ここでリレー３がＯＮする為に、ゼロクロス手段４ａによりリレーゼロクロス処理を開始すると、スキャン選択手段４ｄは、ＬＥＤのスキャンに１／２点タイマー制御手段４ｇを選択する。１／２点タイマー選択手段４ｇは、交流電源１の周波数が６０Ｈｚの時、１／２ＺＶＰに相当する時間の４．１５ｍｓをタイマー割り込みとしてセットする。１／２点タイマー選択手段４はリレーゼロクロス手段４ａの動作中にセットしたタイマー割り込みが生じる毎に、トランジスタ５ｉ、トランジスタ５ｊを交互にＯＮ、ＯＦＦしＬＥＤ５ａ、ＬＥＤ５ｂを点灯、消灯する。スキャン選択手段４ｄはゼロクロス手段４ａによるリレーゼロクロスが終了すると、ＬＥＤスキャンの制御をＬＥＤ１／２点制御手段４ｂに切り替える。
【００２３】
以上のように本実施例によれば、交流電源１の０Ｖ点でリレー３の開閉を行うリレーゼロクロス手段４ａと、ＬＥＤをスキャン出力するＬＥＤスキャン手段５と、ＬＥＤスキャン手段５を交流電源１の０Ｖ点と０Ｖ点から０Ｖ点までの中間で制御するＬＥＤ１／２点制御手段４ｆと、ＬＥＤスキャン手段５を、マイクロコンピュータ４がカウントする交流電源１の０Ｖ点から０Ｖ点までの半分の時間による割り込みで制御する１／２点タイマー制御手段４ｇと、リレーゼロクロス手段４ａが動作中のみ，前記ＬＥＤスキャン手段５の制御をＬＥＤ１／２点制御手段４ｆから１／２点タイマー制御手段４ｇに切り替えるスキャン選択手段４ｄを設けることにより、ＬＥＤスキャンの切り替わるタイミングが早くなり、残像が残りやすくなるので、ＬＥＤに流せる電流が少なくてもＬＥＤがちらつかない。
【００２４】
さらに、リレーがゼロクロスを行っていないときは、交流電源の０Ｖ点と０Ｖ点か０Ｖ点までを２等分した時間にＬＥＤをスキャン出力し、反対にリレーがゼロクロス駆動中は交流電源の０Ｖ点が検知できなくても、０Ｖ点から０Ｖ点までの時間の半分に同期してＬＥＤをスキャン出力できるので、リレーがゼロクロス駆動中でも、またリレーをゼロクロス駆動してなくても安定してＬＥＤスキャンが行える。さらに、リレーゼロクロス中のみに、０Ｖ点から０Ｖ点の半分の時間による割り込み処理を限定することで、割り込み処理による、マイクロコンピュータの処理の中断に伴う信頼性の確認も用意であるという作用を有する。
【００２５】
なお、本実施例において、１／２点タイマー選択手段４ｇは、交流電源１が６０Ｈｚのとき１／２ＺＶＰに相当する４．１５ｍｓを時間割り込みの値としたが、交流電源１の０Ｖ点から０Ｖ点の半分の時間の割り込みを行う為、交流電源１の周波数が変わっても何ら問題ない。また、本実施例においてリレー３がＯＮの場合の説明を行ったが、リレー３がＯＦＦの場合も同様に説明できるので何ら問題ない。
【００２６】
（実施例４）
以下、本発明の第４の実施例について図面を参照しながら説明する。図７は本発明の全体構成図であり実施例１と同一の構成要素については同じ番号を付し説明を省略する。
【００２７】
ゼロクロス手段４ａには、リレーゼロクロス手段４ａによってリレー駆動の待ち時間ならびに動作または復帰時間を計測中、ＬＥＤタイマー制御手段４ｃにより前記ＬＥＤスキャン手段５が動作すると、ＬＥＤスキャン手段５が動作するのに要した時間（Ｔ２）だけリレー駆動の待ち時間ならびにリレーの動作または復帰時間の補正を行うスキャン時間補正手段４ｈを接続する。
【００２８】
この実施例の動作について、本実施例の動作図である図８を用いて説明する。なお実施例１と同一の動作については説明を省略する。リレー３がＯＮする為、ゼロクロス手段４ａによりリレーゼロクロス処理を開始すると、スキャン選択手段４ｄは、ＬＥＤのスキャンにＬＥＤタイマー制御手段４ｃを選択する。ＬＥＤタイマー制御手段４ｃは交流電源１の周波数が６０Ｈｚの時、１ＺＶＰに相当する時間の８．３ｍｓをタイマー割り込みとしてセットする。リレーゼロクロス手段４ａがリレー動作用の待ち時間（Ｔ１）をカウントしている最中に、このタイマー割り込みが生じると、リレーゼロクロス手段４ａはリレー動作用の待ち時間（Ｔ１）のカウントの処理を一旦停止し、代わりにＬＥＤタイマー制御手段４ｃが、トランジスタ５ｉ、トランジスタ５ｊを交互にＯＮ、ＯＦＦし、ＬＥＤ５ａ、ＬＥＤ５ｂを点灯、消灯する。その後、リレーゼロクロス手段４ａはリレー動作用の待ち時間（Ｔ１）のカウントの処理を復帰する。その際に、スキャン時間補正手段４ｈは、タイマー割り込みが生じてからＬＥＤタイマー制御手段４ｃが、トランジスタ５ｉ、トランジスタ５ｊを交互にＯＮ、ＯＦＦし、ＬＥＤ５ａ、ＬＥＤ５ｂを点灯、消灯するのに要した時間（Ｔ２）の補正を、カウントを停止していたＴ１に対して行う。
【００２９】
以上のように本実施例によれば、スキャン時間補正手段４ｈを設けることにより、リレーゼロクロス手段４ａによってリレー駆動の待ち時間（Ｔ１）をカウント中、ＬＥＤタイマー制御手段４ｃにより、ＬＥＤスキャン手段５が動作する割り込み処理によるＬＥＤのスキャン処理を行っても、ＬＥＤスキャン手段５が動作に要した時間（Ｔ２）だけ、リレー動作用の待ち時間（Ｔ１）の補正を行える。なお、本実施例においてリレー駆動の待ち時間の補正を例に挙げたが、リレーの動作または復帰時間測定中にＬＥＤのスキャン処理が生じた場合の補正も同様である。
【００３０】
【発明の効果】
以上のように、請求項１記載の発明によれば、リレーゼロクロス駆動しないときは交流電源の０Ｖ付近に同期してＬＥＤをスキャン出力し、リレーゼロクロス中で交流電源の０Ｖ付近が検知できなくても、交流電源の０Ｖ付近から次の０Ｖ付近相当の時間に同期してＬＥＤをスキャン出力できるので、リレーゼロクロス装置で安定したＬＥＤのスキャン出力が実現できるという効果を有する。
【００３１】
また、請求項２記載の発明によれば、入力検知等交流電源の０Ｖ付近で行なわなければならない処理を優先処理でき、またＬＥＤスキャンの周期は、交流電源の０Ｖ付近から次の０Ｖ付近までの周期と等しいのでＬＥＤスキャンもちらつかず、より使い勝手の良いリレーゼロクロス装置でＬＥＤのスキャン出力が実現できるという効果を有する。
【００３２】
また、請求項３記載の発明によれば、ＬＥＤスキャンの切替タイミングが早くなるので、ＬＥＤに流せる電流が少なくてもＬＥＤがちらつかず、さらにリレーゼロクロス駆動していないときでも駆動中でも安定したＬＥＤスキャン出力が実現できるという効果を有する。
【００３３】
また、請求項４記載の発明によれば、リレーゼロクロス処理のリレー動作待ち時間ならびに動作または復帰時間を計測中、ＬＥＤスキャン手段が動作しても、ＬＥＤスキャン手段が動作した時間だけリレー駆動の待ち時間ならびにリレーの動作または復帰時間の補正を行うことができるので、より正確にリレーゼロクロス処理が行えるＬＥＤスキャンを実現できるという作用を有する。
【図面の簡単な説明】
【図１】  本発明の第１の実施例におけるリレーゼロクロス装置の全体構成図
【図２】  第１の実施例のリレーゼロクロス装置の動作を示す動作図
【図３】  本発明の第２の実施例におけるリレーゼロクロス装置の全体構成図
【図４】  第２の実施例の動作を示すフローチャート
【図５】  本発明の第３の実施例におけるリレーゼロクロス装置の全体構成図
【図６】  第３の実施例の動作を示す動作図
【図７】  本発明の第４の実施例におけるリレーゼロクロス装置の全体構成図
【図８】  第４の実施例の動作を示す動作図
【図９】  従来のリレーゼロクロス装置の全体構成図
【図１０】  従来のリレーゼロクロス装置の動作を示す動作図
【符号の説明】
１    交流電源
２    ヒーター
３    リレー
４    マイクロコンピュータ
４ａ  ゼロクロス手段
４ｂ  ＬＥＤ０Ｖ点制御手段
４ｃ  ＬＥＤタイマー制御手段
４ｄ  スキャン選択手段
４ｅ  ０Ｖ点遅延手段
４ｆ  ＬＥＤ１／２点制御手段
４ｇ  １／２点タイマー制御手段
４ｈ  スキャン時間補正手段
５    ＬＥＤスキャン手段
５ａ〜５ｄ  ＬＥＤ
５ｅ〜５ｈ  抵抗
５ｉ〜５ｊ  トランジスタ
６    入力手段
６ａ  タクトＳＷ
６ｂ  抵抗
７    感温素子
【図１】
0004066575.tif 000002
【図２】
0004066575.tif 000003
【図３】
0004066575.tif 000004
【図４】
0004066575.tif 000005
【図５】
0004066575.tif 000006
【図６】
0004066575.tif 000007
【図７】
0004066575.tif 000008
【図８】
0004066575.tif 000009
【図９】
0004066575.tif 000010
【図１０】
0004066575.tif 000011